(57)【特許請求の範囲】
【請求項１】
尿瓶の口部へ接続させて使用するための携帯用の補助治具において、
前記尿瓶への接続口(１８)を下端側に有する縦向きの筒体であって、上方又は側方に開口する尿受口(６)を有する導尿筒(２)と、
この導尿筒(２)の筒壁(２ａ)を貫通して、その導尿筒(２)の外側から前記接続口(１８)へ延びる空気逃し用パイプ(２０)と、
を具備することを特徴とする、尿瓶用補助治具。
【請求項２】
前記導尿筒(２)の筒壁(２ａ)には、貫通孔(１２)が穿設されており、
前記空気逃し用パイプ(２０)は、前記貫通孔(１２)から接続口(１８)側に延びる曲がり管であり、その管壁の基部(２０ａ)を当該貫通孔(１２)に着脱自在に嵌着させることで前記導尿筒(２)に支持されていることを特徴とする、請求項１に記載の尿瓶用補助治具。
【請求項３】
前記尿受口(６)は、前記導尿筒(２)の上端の開口(８)と、この開口(８)と連続して導尿筒(２)の筒壁(２ａ)に穿設した切欠き(１０)とで形成したことを特徴とする、請求項１又は請求項２に記載の尿瓶用補助治具。
【請求項４】
前記導尿筒(２)は、前記尿受口(６)を有する大径筒部(４)の下端から小径筒部(１４)を垂下しており、
この小径筒部(１４)の下端側に前記接続口(１８)を開口しており、
前記空気逃し用パイプ(２０)は、大径筒部(４)の筒壁を貫通して、その大径筒部(４)の外側から前記小径筒部(１４)内へ突入していることを特徴とする、請求項１から請求項３のいずれかに記載の尿瓶用補助治具。
【請求項５】
前記大径筒部(４)を上下方向へ伸縮可能な蛇腹筒に形成しており、
この大径筒部(４)の筒長は、当該大径筒部(４)が上下方向に伸びた状態で前記小径筒部(１４)より長く、上下方向に縮めた状態で前記小径筒部(１４)より短くなるように設計したことを特徴とする、請求項４に記載の尿瓶用補助治具。
【発明の詳細な説明】
【技術分野】
【０００１】
本発明は、尿瓶用補助治具、特に尿瓶に接続させることで携帯用トイレを構成することができる尿瓶用補助治具に関する。  
【背景技術】
【０００２】
例えば自動車の車内で或いは屋外で尿意を催したときに、利用可能なトイレが近くになくて困る場合がある。
大人であれば、経験的に、そういう状況に陥る前に、例えば長時間の自動車での移動の前にトイレに行って用を足すということが可能であるが、小さな子どもの場合には、そうした対処をとることが難しい。
しかしながら、こうした状況に備えて既存の尿瓶を持ち歩くことは、面倒である。
何故なら、既存の尿瓶は、主として病人や高齢者が病室などに置いて用いるものであって、携帯用具としては嵩張る構造だからである。
【０００３】
こうした事情から、市販のペットボトルのような瓶体の口部に、尿受口を有する補助治具を接続したものを、携帯用トイレとして用いることが提案されている。
（１）ペットボトルの口部の外面へ連結可能な有頂のネジキャップと、上端開口を尿受口とする紙コップ（導尿筒）とを有し、それらネジキャップの頂壁と紙コップの底壁とにそれぞれ孔を開け、これらの孔をホースで連結したもの（特許文献１）
（２）下側に向かって次第に小径となるテーパ状の縦筒体（導尿筒）と、この縦筒体の上端開口である尿受口を塞ぐカバーとからなり、
前記縦筒体の下端を、ペットボトルの口部への連結可能な、ネジ付きの接続口に形成するとともに、
前記縦筒体の上下方向中間部をアコーディオン式の蛇腹部に形成し、この蛇腹部の変形により前記接続口を下向きにしたまま、前記尿受口を上側方へ向けることが可能に形成したもの（特許文献２）。
【先行技術文献】
【特許文献】
【０００４】
【特許文献１】特開２００５−１７６９９８
【特許文献２】特開２０１６−１２３７０３
【特許文献３】実開昭５８−１０２６９８
【発明の概要】
【発明が解決しようとする課題】
【０００５】
特許文献１では、尿瓶（ペットボトル）を装着する補助治具を、ネジキャップと紙コップとホースとで構成しているが、紙コップに比べてホースが小径であるため、ホース内で尿の流れが滞り、尿を紙コップから尿瓶へ円滑に導くことができない可能性があった。
特許文献２では、尿瓶装着用の治具として、下端に向かって小径となる縦筒体を用いており、その下端側での筒壁の縮径の程度によっては同様の問題を生ずる。
【０００６】
この点を改善するため、空気置換孔を用いる技術も提案されている（図６参照）。
すなわち、尿瓶に代えて、吸水材Ａを内蔵したゴム製の尿貯蔵袋Ｂの上端の口部ｂ１に、上下両端開口で縦長の導尿筒Ｃの下端部c１を挿入し、この下端部の外面に前記口部を嵌め合わせるとともに、当該下端部よりやや上側に位置させて、前記導尿筒の筒壁に空気置換孔Ｈを貫通させたものが知られている（特許文献３）。
排尿が完了したときには、前記導尿筒Ｃの下端部から尿貯蔵袋Ｂの口部を外し、この口部を紐Ｓで縛れば良い。
この構成では、尿が導尿筒を通って袋内へ入るとともに、袋内の空気が前記空気置換孔を介して外部へ逃げるように構成しており、尿の導入がスムーズとなる。
前記空気置換孔は、導尿筒の外側から内側に下方へ傾斜させており、尿の飛沫が空気置換孔を通って外部へ飛散することを防止している。
【０００７】
特許文献３の装置は、導尿筒の上端の尿受口ｃ２から排尿するときに、前記空気置換孔が手前側（利用者の胴体に近い側）に位置するように導尿筒を把持し、筒壁のうちで空気置換孔と反対側の部分に尿が当たって、そこを伝って尿が流れ落ちるように用いる必要がある。
なぜならば、筒壁の手前側（空気置換孔を設けた側）の部分を尿が伝わると、導尿筒内の空間と空気置換孔とが尿の流れで遮断され、空気の置換ができないからである。
しかしながら、小さい子供が使用すると、放尿の向きを正しくコントロールすることが難しく、空気置換孔が尿の流れで塞がれてしまう可能性がある。
【０００８】
また特許文献１〜３の装置は、従来の尿瓶に比べればコンパクトな構成であるが、携帯用品としてバッグ等に入れて持ち歩くことを想定すると、より嵩張らないように改善する余地がある。
さらに特許文献１〜３の装置は、導尿筒の上端開口である尿受口から尿を流し込む構成であり、小さな子供が使用すると、尿受口の外に尿をこぼしてしまう可能性があり、使い勝手が悪い。
【０００９】
本発明の第１の目的は、尿瓶側へ導入される尿及び尿瓶内の空気の置換をより確実に実現できる尿瓶用補助治具を提供することである。
本発明の第２の目的は、嵩張らない尿瓶用補助治具を提供することである。
本発明の第３の目的は、使い勝手が良い尿瓶用補助治具を提供することである。
【課題を解決するための手段】
【００１０】
第１の手段は、尿瓶の口部へ接続させて使用するための携帯用の補助治具において、
前記尿瓶への接続口１８を下端側に有する縦向きの筒体であって、上方又は側方に開口する尿受口６を有する導尿筒２と、
この導尿筒２の筒壁２ａを貫通して、その導尿筒２の外側から前記接続口１８へ延びる空気逃し用パイプ２０と、
を具備する。
【００１１】
本手段は、導尿筒２及び空気逃し用パイプ２０を備えた尿瓶用補助治具を提案している。
前記導尿筒２は、尿受口６を有し、この尿受口６は、図１に示すように側方へ、或いは図３に示すように上方へ開口している。また前記導尿筒２の下端には、図２に示すように、尿瓶９０の口部９４への接続口１８を形成している。
また前記空気逃し用パイプ２０は、前記導尿筒２を貫通して前記接続口１８へ延びるように形成している。
この構造によれば、前記空気逃し用パイプ２０を設けたから、尿と空気との置換がより確実となる。
【００１２】
第２の手段は、第１の手段を有し、かつ前記導尿筒２の筒壁２ａには、貫通孔１２が穿設されており、
前記空気逃し用パイプ２０は、前記貫通孔１２から接続口１８側に延びる曲がり管であり、その管壁の基部２０ａを当該貫通孔１２に着脱自在に嵌着させることで前記導尿筒２に支持されている。
【００１３】
本手段では、図２に示すように、前記導尿筒２の筒壁２ａには、貫通孔１２が穿設されている。
また前記空気逃し用パイプ２０は、前記貫通孔１２から接続口１８側に延びる曲がり管である。
空気逃し用パイプ２０の管壁の基部２０ａは、前記貫通孔１２に着脱自在に嵌着されている。
この嵌着により、前記空気逃し用パイプ２０は、前記導尿筒２に支持されている。
この構造によれば、携帯のためにバッグ内など保管をするときには、空気逃し用パイプ２０と導尿筒２とを分離して保管することができ、持ち運びに便利である。
【００１４】
第３の手段は、第１の手段又は第２の手段を有し、かつ前記尿受口６は、前記導尿筒２の上端の開口８と、この開口８と連続して導尿筒２の筒壁２ａに穿設した切欠き１０とで形成した。
【００１５】
本手段は、図４及び図５に示すように、尿受口６を、前記導尿筒２の上端の開口８と、この開口８と連続して導尿筒２の筒壁２ａに穿設した切欠き１０とで形成したから、小さい子供が排尿しても、尿受口の外に尿がこぼれにくく、使い勝手が良い。
【００１６】
第４の手段は、第１の手段から第３の手段のいずれかを有し、かつ前記導尿筒２は、前記尿受口６を有する大径筒部４の下端から小径筒部１４を垂下しており、
この小径筒部１４の下端側に前記接続口１８を開口しており、
前記空気逃し用パイプ２０は、大径筒部４の筒壁を貫通して、その大径筒部４の外側から前記小径筒部１４内へ突入している。
【００１７】
本手段では、図２に示す如く、前記導尿筒２は、前記尿受口６を有する大径筒部４の下端から小径筒部１４を垂下している。
この小径筒部１４の下端側に前記接続口１８を開口しており、前記空気逃し用パイプ２０は、大径筒部４の筒壁を貫通して、その大径筒部４の外側から前記小径筒部１４内へ突入している。
この構造によれば、尿の流れがスムーズである。
【００１８】
第５の手段は、第１の手段から第３の手段のいずれかを有し、かつ前記大径筒部４を上下方向へ伸縮可能な蛇腹筒に形成しており、
この大径筒部４の筒長は、当該大径筒部４が上下方向に伸びた状態で前記小径筒部１４より長く、上下方向に縮めた状態で前記小径筒部１４より短くなるように設計した。
【００１９】
本手段では、図４に示すように、大径筒部４を上下方向へ伸縮可能な蛇腹筒に形成している。
この大径筒部４の筒長は、図４（Ａ）に示すように、当該大径筒部４が上下方向に伸びた状態で前記小径筒部１４より長く、図４（Ｂ）に示すように、上下方向に縮めた状態で前記小径筒部１４より短くなるように設計した。
この構造によれば、尿瓶用補助治具をコンパクトに収納することができ、保管に場所を取らず、従って、嵩張らない。
【発明の効果】
【００２０】
第１の手段に係る発明によれば、尿瓶の口部へ接続させて使用するための携帯用の補助治具において、導尿筒２を貫通して尿瓶との接続口１８へ延びる空気逃し用パイプ２０を設けたから、尿と空気との置換がより確実となる。
第２の手段に係る発明によれば、前記空気逃し用パイプ２０は、前記導尿筒２の貫通孔１２から前記接続口１８側に延びる曲がり管であり、その管壁の基部２０ａを当該貫通孔１２に着脱自在に嵌着させたから、携帯のためにバッグ内など保管をするときには、空気逃し用パイプ２０と導尿筒２とを分離して保管することができ、持ち運びに便利である。
第３の手段に係る発明によれば、尿受口６を、前記導尿筒２の上端の開口８と、この開口８と連続して導尿筒２の筒壁２ａに穿設した切欠き１０とで形成したから、小さい子供が排尿しても、尿受口の外に尿がこぼれにくく、使い勝手が良い。
第４の手段に係る発明によれば、前記導尿筒２は、前記尿受口６を有する大径筒部４の下端から小径筒部１４を垂下しているから、尿の流れがスムーズである。
第５の手段に係る発明によれば、大径筒部４を上下方向へ伸縮可能な蛇腹筒に形成したから、コンパクトに収納することができ、嵩張らない。
【図面の簡単な説明】
【００２１】
【図１】本発明の第１実施形態に係る尿瓶用補助治具及び尿瓶を分離した状態を示す側面である。
【図２】図１の尿瓶用補助治具及び尿瓶を結合させた状態で示す断面図である。
【図３】本発明の第２実施形態に係る尿瓶用補助治具及び尿瓶を結合させた状態で示す断面図である。
【図４】本発明の第３実施形態に係る尿瓶用補助治具を示す図であり、同図（Ａ）は、導尿筒を伸ばした状態を示す斜視図、同図（Ｂ）は、導尿筒を縮めた状態を示す斜視図、同図（Ｃ）は、導尿筒を縮めた状態を示す縦断面図である。
【図５】本発明の第４実施形態に係る尿瓶用補助治具及び尿瓶を結合させた状態で示す断面図である。
【図６】従来の技術を示す図である。
【発明を実施するための最良の形態】
【００２２】
図１及び図２は、本発明の第１実施形態に係る尿瓶用補助治具を示している。この尿瓶用補助治具１は、導尿筒２と、空気逃し用パイプ２０とを具備している。これら各部材は、例えば合成樹脂、シリコン、ゴムなどで形成することができる。
なお、図１には、本発明の尿瓶用補助治具１を適用する尿瓶９０を併せて示している。
まず尿瓶９０について説明する。この尿瓶は、市販のネジキャップ付きのボトル（例えばペットボトル）を利用することができる。
図示例では、前記尿瓶９０は、図２に示すように、胴部９２から肩部を介して筒状の口部９４を起立している。
図示例の口部９４は、大外径の下半部９４ａから上向き段差部９４ｂを介して小外径の上半部９４ｃを上方へ延出しており、この上半部９４ｃの外面に雄ネジ部９６を形成している。
【００２３】
前記導尿筒２は、尿を注ぎ込むための尿受口６を有する縦向きの筒体であり、その尿を尿瓶へ導く役割を有する。
本実施形態では、導尿筒２は、前記筒壁２ａの上端を頂壁２ｂで閉塞しており、前記尿受口６は、側方に開放する切欠き１０として、前記筒壁２ａに形成されている。
この切欠き１０は、利用者の局部の挿入口を兼ねている。
その口縁１０ａとの接触によって利用者の身体を傷つけない程度に軟質の材料（例えばシリコン）で前記導尿筒２を形成することが望ましい。
また前記筒壁２ａの適所（図示例では尿受口６と反対側）には、後述の空気逃し用パイプ２０を挿通させるための貫通孔１２が形成されている。
前記導尿筒２の下端側には、前記尿瓶への接続口１８が形成されている。
本実施形態の導尿筒２は、大径筒部４の下端から小径筒部１４を垂下しており、この小径筒部１４の内側に、前記接続口１８を設けている。この接続口１８は、前記雄ネジ部９６とかみ合う雌ネジ部１９を有する。
図示例の小径筒部１４は、上方筒部１４ａから外向きフランジ１４ｂを介して上方筒部１４ａより拡径させた下方筒部１４ｃを下方へ延出している。そして下方筒部１４ｃの内面を、前記接続口１８に形成している。
図示例では、図２に示す如く、前記上方筒部１４ａの内面と筒状の口部９４の内面とは、面一に形成されている。そして前記口部９４の上端を上方筒部１４ａの下端面に、また前記下方筒部１４ｃの下端を前記上向き段差部９４ｂにそれぞれ突き当てている。
もっともこれらの構造は適宜変更することができる。
そして、前記尿受口６及び貫通孔１２は、前記大径筒部４に形成されている。
【００２４】
空気逃し用パイプ２０は、前記貫通孔１２から前記接続口１８へ延びている。
図示例の空気逃し用パイプ２０は、前記貫通孔１２から前記接続口１８へ緩やかに屈曲する曲がり管に形成されている。もっとも空気逃し用パイプ２０の構造は適宜変更することができるものとし、例えば市販の蛇腹付きチューブを曲げ変形させて用いても構わない。
前記空気逃し用パイプ２０の基部２０ａは、前記貫通孔１２に嵌着している。
この嵌着により、前記空気逃し用パイプ２０は、前記導尿筒２に支持されている。
図示例の空気逃し用パイプ２０は、前記小径筒部１４の下端より下方へ伸びている。もっともこの構造は適宜変更することができ、前記空気逃し用パイプ２０の先部２０ｂが少なくとも前記上方筒部１４ａまで到達していれば良い。
図示例では、前記空気逃し用パイプ２０の先部２０ｂは、前記上方筒部１４ａ及び口部９４の各内面に当接している。
【００２５】
前記構成において、前記空気逃し用パイプ２０を導尿筒２に取り付けるときには、利用者が空気逃し用パイプ２０の基部２０ａを摘んで、空気逃し用パイプ２０の先部２０ｂが下向きになるように前記空気逃し用パイプ２０の向きを調整する。
そして前記先部２０ｂから前記貫通孔１２内へ挿入すれば良い。
この挿入作業は、図２に示す如く、利用者が空気逃し用パイプ２０を摘むための必要な長さ（摘み代ｍという）を導尿筒２の外側に残して、これ以外の空気逃し用パイプ部分を貫通孔１２内へ挿入したときに、終了する。
この段階で前記先部２０ｂが前記小径筒部１４内に到達するように、前記空気逃し用パイプ２０の長さを予め設定しておくものとする。
前記摘み代ｍを導尿筒２の外に残すことにより、前記空気逃し用パイプ２０が前記貫通孔１２から脱落してしまうことを防止している。
なお、図示例では、前記貫通孔１２は、切欠き１０の反対側に配置されているから、切欠き１０からの放尿の準備をしているときに、誤って前記空気逃がし用パイプ２０の基部２０ａを押してしまい、空気逃がし用パイプが脱落するという不都合が生ずるリスクが少ない。
なお、前記空気逃し用パイプ２０の脱落防止の手段としては、例えば空気逃し用パイプ２０の基部２０ａ外面に筒状ストッパ（図示せず）を嵌め合わせ、この筒状ストッパの端部が前記貫通孔１２の周囲に当接するように設けるなどのことも考えられる。
そして前記接続口１８を前記尿瓶９０の口部９４にネジ止めにより固定することにより取り付けが完了する。
【００２６】
この尿瓶９０及び尿瓶用補助治具１を使用するときには、前記尿受口６に子供の局部を挿入させて、排尿させれば良い。尿は、前記大径筒部４から小径筒部１４へ入り、前記接続口１８を経て尿瓶に流れ落ちる。
これと同時に尿瓶９０内の空気が空気逃し用パイプ２０を介して導尿筒２の外へ排気される。
これにより、尿と空気との置換がスムーズに行われるため、尿の流れがより円滑となる。
また空気逃がし用パイプ２０を導入することにより、尿の流路と空気の通り道とが完全に遮断されているため、前記特許文献３のように、利用者の使い方次第で空気置換孔が尿の流れにより塞がるという不都合を生じない。
従って、たとえ小さな子供が使用したとしても、空気置換作用が確実に実現される。
排尿が終了したときには、前記接続口１８から尿瓶９０の口部９４を分離させる。そして尿瓶９０のキャップ（図示せず）を口部９４に装着し、後刻尿を処分するまでそのまま保管することができる。
【００２７】
以下、本発明の他の実施形態を説明する。これらの説明において、第１実施形態と同じ構成については、解説を省略する。
【００２８】
図３は、本発明の第２実施形態に係る尿瓶用補助治具を示している。
本実施形態は第１実施形態のうち尿受口６の構成を変更したものである。
具体的には、第１実施形態において筒壁２ａに形成した切欠き１０を省略し、その代わりに、前記筒壁２ａを上端開口とし、この開口８を尿受口にしたものである。
本発明では、前述のように空気逃し用パイプ２０を設けることで、尿の流路のうち最も狭まった部分（狭窄部）における尿の流れがスムーズになるようにしている。
しかしながら、そうした構成を採用していても、接続口１８の内径等の条件次第では、前記接続口１８を経て流れ落ちる尿の流量に比べて、前記尿受口６へ放尿される尿の量が多くなり、尿が一時的に前記導尿筒２内に溜まってしまう可能性がある。
本実施形態では、前記導尿筒２の筒壁２ａに前記切欠き１０がないため、第１実施形態に比べて導尿筒２内に仮に留めておく尿の量を多くすることができる。
【００２９】
図４は、本発明の第３実施形態に係る尿瓶用補助治具を示している。
本実施形態は第１実施形態のうちで大径筒部４の構造を変更したものである。
具体的には、大径筒部４を上下方向への伸縮可能な蛇腹１３に形成している。
既述特許文献２の蛇腹は、導尿筒の向きを変更するために、導尿筒の長手方向の中間部に形成している。
他方、本実施形態の蛇腹１３の導尿筒２をコンパクトに収納するための手段であり、大径筒部４の筒長方向全長に形成している。
図示例の蛇腹１３は、折り畳んだ状態で第１筒部４ａの下端の谷線１３ａから上内方へ第２筒部４ｂを突出するとともに、第２筒部４ｂの上端の稜線１３ｂを介して再び第１筒部４ａを突出するという構造を、外側から内側へ繰り返すように構成されている。
折り畳んだ蛇腹１３全体は、略円盤状であり、そのときの谷線１３ａ同士、並びに稜線１３ｂはほぼ同じ高さにある。
図示例では、第１筒部４ａを垂直筒部に、また第２筒部４ｂを下端側が小径であるテーパ状筒部にそれぞれ形成している。
これら第１筒部４ａ及び第２筒部４ｂで形成される大径筒部４は、上下方向に伸ばした状態で、図４（Ａ）に示すように、上端側が大径の漏斗形状となる。
図示例の大径筒部４は、上下方向に延ばした状態の蛇腹筒の上部の周方向一部に切欠き１０を穿設した形状に形成され、この切欠き１０と上端側の開口８とで尿受口６を形成している。
また前記貫通孔１２は一つの垂直筒部４ａに穿設されている。
本実施形態の導尿筒２は、例えばゴムで形成することができる。
もっともこれらの構造は適宜変更することができる。
なお、前記大径筒部４の筒長は、当該大径筒部４が上下方向に伸びた状態で前記小径筒部１４より長く、上下方向に縮めた状態で前記小径筒部１４より短くなるように設計されている。
【００３０】
図５は、本発明の第４実施形態に係る尿瓶用補助治具を示している。
本実施形態は第１実施形態のうちで導尿筒２の構造を変更したものである。具体的には、導尿筒２を、筒壁２ａの下端に底壁３を付設した有底筒状に形成し、その底壁３の中央部に接続口１８である孔を形成する。この孔の内周面の下部１８ｂは、上部１８ａに比べて大内径に形成されている。そしてこの下部１８ｂに前記口部９４の雄ネジ部９６とかみ合う雌ネジ部１９を形成している。
前記筒壁２ａは上端開口であり、その開口８と、この開口に連続させて筒壁２ａに穿設した切欠き１０とで尿受口６を形成している。
【符号の説明】
【００３１】
１…尿瓶用補助治具
２…導尿筒  ２ａ…筒壁  ２ｂ…頂壁  ３…底壁
４…大径筒部  ４ａ…第１筒部（垂直筒部）  ４ｂ…第２筒部（テーパ筒部）
６…尿受口  ８…開口  １０…切欠き  １０ａ…口縁
１２…貫通孔  １３…蛇腹  １３ａ…谷線  １３ｂ…稜線
１４…小径筒部  １４ａ…上方筒部  １４ｂ…外向きフランジ  １４ｃ…下方筒部
１８…接続口  １８ａ…上部  １８ｂ…下部  １９…雌ネジ部
２０…空気逃がし用パイプ  ２０ａ…基部  ２０ｂ…先部
９０…尿瓶  ９２…胴体  ９４…口部  ９４ａ…下半部  ９４ｂ…上向き段差部
９４ｃ…上半部  ９６…雄ネジ部
ｍ…摘み代
【図１】
0006909545.tif 000002
【図２】
0006909545.tif 000003
【図３】
0006909545.tif 000004
【図４】
0006909545.tif 000005
【図５】
0006909545.tif 000006
【図６】
0006909545.tif 000007